(57)【要約】【課題】  電子装置の普段使用しないカートリッジ挿入口に、各種の付属品を収納したまま保管すると共に蓋となるカートリッジ構造体を得ることにある。【解決手段】  電子装置のカートリッジ挿入口１０１に挿入して各種の拡張機器をコネクタを介して電子装置本体の電子回路に接続して電子装置を作動させるカートリッジを模した外形を有するコンポーネント１０内に電子装置に用いられる付属品２０を収納して出し入れ可能にしたことを特徴とするカートリッジ構造体。【選択図】図１
2007007294.tif 000002
【特許請求の範囲】
【請求項１】
電子装置のカートリッジ挿入口に挿入して各種の拡張機器をコネクタを介して電子装置本体の電子回路に接続して電子装置を作動させるカートリッジを模した外形を有するコンポーネント内に電子装置に用いられる付属品を収納して出し入れ可能にしたことを特徴とするカートリッジ構造体。
【請求項２】
電子装置に着脱自在に接続される電子回路素子を内蔵したカートリッジを電子装置本体に設けたカートリッジ挿入口に装着し、カートリッジに内蔵した電子回路素子を電子装置本体の回路とコネクタを介して接続して電子装置を動作させる複数種類のカートリッジ挿入口を有する電子装置において使用可能なカートリッジ挿入口の開口幅に合せた寸法を有し、カートリッジ挿入口から挿入した際にカートリッジ挿入口の頭部が露出するだけの奥行き方向の距離を有する略矩形のコンポーネントであって、
該コンポーネントを表裏に分割した表裏のコンポーネント部と、
該表裏のコンポーネント部を表裏に開閉する頭部側の厚み方向面に設けた蝶つがい部と、
該コンポーネントの内側に設けた物品が収納可能な収納空間と、
前記表裏のコンポーネント部を閉じた際に前記物品が挟持可能なコンポーネント部内壁に設けた支持部と、
前記表裏のコンポーネント部を閉じた際に表裏のコンポーネント部を嵌合状態に係止する係止部と、
を備えたことを特徴とするカートリッジ構造体。
【請求項３】
タッチパネルを有する電子装置に着脱自在に接続される電子回路素子を内蔵したカートリッジを電子装置本体に設けたカートリッジ挿入口に装着し、カートリッジに内蔵した電子回路素子を電子装置本体の回路とコネクタを介して接続して電子装置を動作させる複数種類のカートリッジ挿入口を有する電子装置において使用可能なカートリッジ挿入口の開口幅に合せた寸法を有し、カートリッジ挿入口から挿入した際にカートリッジ挿入口の頭部が露出するだけの奥行き方向の距離を有する略矩形のコンポーネントであって、
該コンポーネントの長手方向の一側面に設けた開口部と、
該コンポーネントの内部空間に収納され、前記開口部から摺動可能に露出し、コンポーネントに連接される矩形状の握り部と、
前記開口部から摺動された握り部の露出側の先端が先細に形成されたタッチペン部と、
を備えたことを特徴とするカートリッジ構造体。
【請求項４】
電子装置に着脱自在に接続される電子回路素子を内蔵したカートリッジを電子装置本体に設けたカートリッジ挿入口に装着し、カートリッジに内蔵した電子回路素子を電子装置本体の回路とコネクタを介して接続して電子装置を動作させる複数種類のカートリッジ挿入口を有する電子装置において使用可能なカートリッジ挿入口の開口幅に合せた寸法を有し、カートリッジ挿入口から挿入した際にカートリッジ挿入口の頭部が露出するだけの奥行き方向の距離を有する略矩形のコンポーネントであって、
該コンポーネントの一側面に設けた開口部と、
該コンポーネントの表面で少なくとも頭部から挿入方向にかけて設けた長穴と、
該コンポーネントの内部空間に収納され、前記開口部から摺動可能に露出し、コンポーネントに連接されて保持可能な清掃布体と、
前記長穴を介して清掃布体をコンポーネントの開口から出没自在に摺動させるスライド片と、
を備えたことを特徴とするカートリッジ構造体。
【請求項５】
請求項１乃至４において、電子装置は外部装置と接続されるコネクタがカートリッジ挿入口内に設けられ、該カートリッジ挿入口は複数種類も設けられ、常時使用する必要がないカートリッジ挿入口に挿入されて使用されることを特徴とするカートリッジ構造体。
【請求項６】
請求項３乃至４において、カートリッジ内の収容物を収容状態あるいは露出状態の２段階の状態を保持する保持機構を備えたことを特徴とするカートリッジ構造体。
【発明の詳細な説明】
【技術分野】
【０００１】
本発明は、電子装置に用いるソフトウェアを格納するＩＣチップを基板に搭載し、該基板の一端側に接続端子を設けたソフトウエアカートリッジの外形を模し、カートリッジの内部に当該電子装置に用いる様々な付属品を収納するカートリッジ構造に関する。
【背景技術】
【０００２】
従来、ビデオゲーム機等の電子装置においては、ソフトウェアは電子装置本体とは別体になっている。これは、ハードウエアに対し、ソフトウェアが後から追加供給可能にするために、ソフトウエアカートリッジやＩＣカード、メモリスティック、ＳＤカード、コンパクトフラッシュ、ＣＤ−ＲＯＭ、ＤＶＤ−ＲＯＭ等、様々な媒体で供給されるようになっている。
【０００３】
これらの各種媒体は、技術の進歩に伴い、記憶容量が飛躍的に増大しており、またハードウエアの技術的進歩は、より高度な画像処理能力を有し、次から次へと新機種が発売されている。こうしたなかで、一般的は新旧機種のソフトウェアの互換性は通常は、新しい機種で旧機種のソフトウェアが使用できる場合でも、ソフトウェア記憶媒体の形状は異なるのが通常である。その理由としては、技術的に新しい記憶媒体を採用するほうが、コスト的にも容量的にも都合が良いからである（例えば非特許文献１参照。）。
【０００４】
この場合には、新旧のソフトウエアカートリッジ等の記憶媒体の装着部は夫々別に有しているのが通常で、それぞれ形状の異なるソフトウエアカートリッジは電子装置のコンポーネントに設けたカートリッジ挿入口に沿って装着されるようになっており、使用しない場合は、携帯用ゲーム機等では、そのまま開口になっている。
【０００５】
またインターネットに接続するために通信アダプタを設ける場合でも、価格等の関係から当初はその時点での汎用の低機能の通信アダプタを搭載あるいは未搭載としておくことがある。これは後日、必要な通信アダプタを取り付けたり、交換可能にすることを考慮し、通信アダプタ部分は取り外し可能にすることが将来の汎用性に対応できる等の理由から、コンポーネント側にコネクタを設けておき、通信アダプタ部は取り外し可能に着脱自在にしておくことが行われている。
【０００６】
こうした場合にユーザーが簡単に交換できるようにその電子装置のコンポーネントの一部をデザイン的に刳り抜き凹ませておき、この凹みにコンポーネント内部の回路に接続されるコネクタを設けておき、後日必要なアダプタ等をこの凹みに設けたコネクタに接続して後付けで搭載可能にしておくことで、将来、高機能の通信アダプタに交換可能にしてある。または、当初は通信アダプタは搭載せず、将来、通信機能が必要になった場合に対応可能にコネクタだけを覆うカバー体をコンポーネントに付けておく場合もある。
【０００７】
あるいは、通信アダプタでなくとも、将来の拡張性を鑑みＲＡＭ等のメモリユニットの増設コネクタ等を設ける場合もある。そうした場合でも、予めコンポーネント内に増設用コネクタを設けておき、必要に応じてＲＡＭカセット等のメモリユニットを取り付けられる方式にしておくことで、後日、容易に増設が可能になる。この場合も、通信アダプタの増設と同様にコインポーネントの一部をデザイン的に刳り抜き凹ませておき、この凹みにコンポーネント内の回路に接続されたコネクタを設けておくことで、将来の増設を担保することができる。
【０００８】
携帯電話やデジタルカメラ等では、外部機器を用いる際の通信ケーブルを接続するコネクタは設けてあるものの、必ずしも使用するとは限らず、そこにはゴム等のカバー体で覆いホコリ等の異物の進入を防いでいる。
【非特許文献１】蓬田宏樹、「Ｉｎｓｉｄｅ  “ｗｈａｔ‘ｓ  ｉｎ”  特別企画  ニンテンドーＤＳ  開けて分かったコストの秘密」、日経エレクトロニクス、２００４-１２-６、Ｎｏ．８８８、ｐ．３０-３３
【発明の開示】
【発明が解決しようとする課題】
【０００９】
新旧のカートリッジが利用できるビデオゲーム機を使用する場合では、使用時に一方のカートリッジしか装着しないので、他方は未装着状態になり、この場合、なんら蓋となる蓋体がないので、ホコリ等が内部に入りこみ、そこへカートリッジを装着した場合に接触不良等の原因になるのである。
また、他の種類のカートリッジを使用することも考えると、今はそのカートリッジを使用しないが、後で使うために保管して置く必要があり、出来れば、そのビデオゲーム機と一体になって保管できることが望まれていた。
また、モニタ表示部やコンポーネントが汚れて見難い場合には専用の拭き布で拭くことがモニタ部やコンポーネントに傷等をつける心配がないが、通常は使わないので持ち運ぶことが煩わしく、別々にしておくと紛失の恐れがあった。
【課題を解決するための手段】
【００１０】
本発明は上記課題を解決するために、電子装置のカートリッジ挿入口に挿入して各種の拡張機器をコネクタを介して電子装置本体の電子回路に接続して電子装置を作動させるカートリッジを模した外形を有するコンポーネント内に電子装置に用いられる付属品を収納して出し入れ可能にしたカートリッジ構造体としてある。
【００１１】
上記構成により、カートリッジ挿入口に挿入される電子回路に接続して電子装置を動作せるカートリッジを模した外形を有し、その内部に電子装置に使用が予定される付属品を収納して出し入れ可能にしてあるので、付属品を無くすことがなく、保管に便利なのである。
【００１２】
本発明はさらに上記課題を解決するために、電子装置に着脱自在に接続される電子回路素子を内蔵したカートリッジを電子装置本体に設けたカートリッジ挿入口に装着し、カートリッジに内蔵した電子回路素子を電子装置本体の回路とコネクタを介して接続して電子装置を動作させる複数種類のカートリッジ挿入口を有する電子装置において使用可能なカートリッジ挿入口の開口幅に合せた寸法を有し、カートリッジ挿入口から挿入した際にカートリッジ挿入口の頭部が露出するだけの奥行き方向の距離を有する略矩形のコンポーネントであって、
該コンポーネントを表裏に分割した表裏のコンポーネント部と、
該表裏のコンポーネント部を表裏に開閉する頭部側の厚み方向面に設けた蝶つがい部と、
該コンポーネントの内側に設けた物品が収納可能な収納空間と、
前記表裏のコンポーネント部を閉じた際に前記物品が挟持可能なコンポーネント部内壁に設けた支持部と、
前記表裏のコンポーネント部を閉じた際に表裏のコンポーネント部を嵌合状態に係止する係止部と、
を備えたカートリッジ構造体としてある。
【００１３】
上記構成により、電子装置のカートリッジ挿入口に嵌合する外観を有するカートリッジを表裏で分割し、蝶つがい部により表裏に開閉可能にしてあり、内部に設けた空間に物品を挟持して保管することができ、保管する際には表裏のコンポーネントを嵌合させて、電子装置のカートリッジ挿入口に挿入することで、電子装置内に保管でき、カートリッジはカートリッジ挿入口に嵌り容易に抜けることがないのである。
【００１４】
本発明はさらに上記課題を解決するために、タッチパネルを有する電子装置に着脱自在に接続される電子回路素子を内蔵したカートリッジを電子装置本体に設けたカートリッジ挿入口に装着し、カートリッジに内蔵した電子回路素子を電子装置本体の回路とコネクタを介して接続して電子装置を動作させる複数種類のカートリッジ挿入口を有する電子装置において使用可能なカートリッジ挿入口の開口幅に合せた寸法を有し、カートリッジ挿入口から挿入した際にカートリッジ挿入口の頭部が露出するだけの奥行き方向の距離を有する略矩形のコンポーネントであって、
該コンポーネントの長手方向の一側面に設けた開口部と、
該コンポーネントの内部空間に収納され、前記開口部から摺動可能に露出し、コンポーネントに連接される矩形状の握り部と、
前記開口部から摺動された握り部の露出側の先端が先細に形成されたタッチペン部と、
を備えたカートリッジ構造体としてある。
【００１５】
上記構成により、タッチパネルを有する電子装置のカートリッジ挿入口に嵌合する外観のカートリッジのコンポーネントの長手方向に開口部を設けてあり、その開口部からタッチペン部を摺動させてコンポーネントと一体となって連接可能に露出させることで、矩形状のタッチペン部とすることができ、握り部が幅広となって操作しやすいタッチペン部で電子装置のタッチパネルを操作することができ、使用しないときはカートリッジ内に収納して保管することができる。
【００１６】
本発明はさらに上記課題を解決するために、電子装置に着脱自在に接続される電子回路素子を内蔵したカートリッジを電子装置本体に設けたカートリッジ挿入口に装着し、カートリッジに内蔵した電子回路素子を電子装置本体の回路とコネクタを介して接続して電子装置を動作させる複数種類のカートリッジ挿入口を有する電子装置において使用可能なカートリッジ挿入口の開口幅に合せた寸法を有し、カートリッジ挿入口から挿入した際にカートリッジ挿入口の頭部が露出するだけの奥行き方向の距離を有する略矩形のコンポーネントであって、
該コンポーネントの一側面に設けた開口部と、
該コンポーネントの表面で少なくとも頭部から挿入方向にかけて設けた長穴と、
該コンポーネントの内部空間に収納され、前記開口部から摺動可能に露出し、コンポーネントに連接されて保持可能な清掃布体と、
前記長穴を介して清掃布体をコンポーネントの開口から出没自在に摺動させるスライド片と、
を備えたカートリッジ構造体としてある。
【００１７】
上記構成により、電子装置のカートリッジ挿入口に嵌合する外観を有するカートリッジ内に清掃用布体を収納しておき、使用時にはスライド片をスライドさせて清掃用布体をカートリッジの開口から露出させられ、カートリッジと一体となった清掃用布体で、電子装置の汚れを落とすのである。
【００１８】
本発明はさらに上記課題を解決するために、上述した各々の発明において、電子装置は外部装置と接続されるコネクタがカートリッジ挿入口内に設けられ、該カートリッジ挿入口は複数種類も設けられ、常時使用する必要がないカートリッジ挿入口に挿入されて使用されるカートリッジ構造体により解決される。
上記構成により、電子装置に複数設けられたカートリッジ挿入口のうち、ほとんど使用しないカートリッジ挿入口に付属品を収納したカートリッジを保管することができる。
【００１９】
本発明は尚さらに上記課題を解決するために、カートリッジ内の収容物を収容状態あるいは露出状態の２段階の状態を保持する保持機構を備えたカートリッジ構造体としてある。
上記構成により、タッチッペンや清掃用布体等のカートリッジ内の収容物をカートリッジから摺動露出させて使用する際に、収容状態及び露出状態の所定位置において固定保持する保持機構があるので、使用状態あるいは収納状態においてグラツキがないのである。
【発明の効果】
【００２０】
本発明により電子装置に設けたカートリッジ挿入口に挿入可能なコンポーネントを有するカートリッジ体に、電子装置に用いる各種の付属品を収納したまま、挿入して保管することができる。
そして各種の付属品をカートリッジから取り出して使用することができ、特にカートリッジから摺動して一体となる付属品では、カートリッジ自体がその付属品の一部となり、持ちやすいのである。
さらにこれらの付属品をカートリッジに収納してカートリッジ挿入口に装着することにより、開口したカートリッジ挿入口に進入するホコリ等からカートリッジ挿入口内にある電子回路用のコネクタを保護することが出来るのである。  
【発明を実施するための最良の形態】
【００２１】
本願発明の実施例を以下に図面に基づき詳細に説明する。
【実施例１】
【００２２】
以下、本発明の実施の形態を図面に基づいて説明する。図１は、本願発明のカートリッジ構造体の実施例１を示す。図２はカートリッジ構造体をビデオゲーム機のカートリッジ挿入口に装着する図である。
本発明はビデオゲーム機100に使用するソフトウェアを格納するＩＣチップを基板に搭載し、該基板の一端側に接続端子を設けたソフトウエアカートリッジの外観を模したカートリッジ構造体１0である。
このカートリッジ構造体１0は実際のソフトウェアを格納するＩＣチップを基板に搭載したカートリッジと外観の寸法、形状は同一であり、図２に示すようにビデオゲーム機100のソフトウエアカートリッジの挿入口１０１に装着することが可能である。
【００２３】
カートリッジ構造体のコンポーネント１１、１２は、軟質樹脂製であり、厚み方向に上下に分割され、ビデオゲーム機１００に装着した際に外部に露出する頭部１３が薄い樹脂で連接された連接部１４を有しており、可撓性の軟質部材により2枚貝の蝶つがいのようにカートリッジのパッケージを構成する表裏のコンポーネント１１、１２を開閉することが可能になっている。
カートリッジ構造体１０のコンポーネント１１、１２は略方形体であり、ビデオゲーム機のカートリッジ挿入口１０１に装着した際に、カートリッジ挿入口の縁に当接しそれ以上挿入できないように頭部１３の側部が左右側に多少幅広され形状の幅広部１３ａ、１３ｂとなっている。これによりこの幅広部１３ａ、１３ｂがカートリッジ挿入口の縁に当接することで、これ以上、カートリッジ挿入口１０１の内部に挿入されるｔことが阻止される。
【００２４】
分割されたコンポーネント１１、１２の厚み方向の壁面の合わせ部分は互いに凹凸を有する分割面１１ａ、１２ａになっており、係合部の爪部１１ｂ、１２ｂを有しており、分割面１１ａ、１２ａを合わせることで、閉じることが可能になっている。分割面１１ａ，１２ａを開くには両手でこじ開けるようにして前記爪部１１ｂ、１２ｂを開放することで、2枚貝が開くように頭部の可撓性部材が変形して開くことができる。
【００２５】
このカートリッジ構造体１０の内部には、他方のソフトウェアを内蔵したＩＣカード、メモリスティック、ＳＤカード、コンパクトフラッシュ等の小型記憶メディアを収納する収納部１５が形成されている。小型記憶メディア２０は形状が小さく、このカートリッジ構造体１０内に収納することができ、内部で固定するために上下の側面からリブ１６が立設して、内部で小型記憶メディア２０を収納することができる構造になっている。
このカートリッジ構造体の分割面１１ａ、１２ａを閉じてビデオゲーム機のカートリッジ挿入口１０１に挿入することで、本来のソフトウエアカートリッジ同様にカートリッジ挿入口１０１に装着することができる。
【００２６】
これにより、新旧2種類のソフトウェア内蔵媒体を装着できるビデオゲーム機の２つのソフトウェア内蔵記憶媒体を装着する装着口のうち形状が大きいほうのソフトウェア内蔵記憶媒体のソフトウエアカートリッジの外形と同一の外形を有するカートリッジ構造体の外皮となるパッケージを開閉可能に構成して内部に収納部を設けることで、そのソフトウエアカーリッジを使用しない場合でも、他方の小さいなＩＣカード等のソフトウェア記憶媒体を収納することができる。
【実施例２】
【００２７】
次に本発明の実施例２について説明する。図３には実施例２としてのタッチパネルを操作するペンを内蔵したカートリッジ構造体の斜視図を示す。図４は、同カートリッジ構造体の使用状態を示す斜視図である。
これはソフトウエアカートリッジの外観を模したカートリッジ構造体３０のパッケージ３１の長手方向の一側面の開口部３２から矩形状の摺動体４０をパッケージ３１から摺動自在に出し入れ可能にしてある。摺動体４０には握り部４１とタッチペン部４２で構成されており、ちょうど消しゴムが消しゴムケースから出てくるように摺動されてパッケージ３１の内部から外部に露出され、図示しない係止機構により摺動体４０は所定の長さで固定され、握り部４１の先端は先細になっており、硬質樹脂製のタッチペン部４２が設けられている。
【００２８】
使用者は、このカートリッジ構造体３０のパッケージの長手方向の一端の開口部３２から摺動体４０を引き出して握り部４１を所定の長さにして、親指と人指し指と中指を握り部４１にあてがい、ペンを持つようにして保持して、タッチパネル１０２をタッチペン部４２でタッチし入力をする。これにより、よりきめ細かなパッチパネル上の入力位置を指定することができる。
そして、使用しない場合には、握り部４１をパッケージ３１内に押し込むことで、タッチペン部４２までが完全にパッケージ３１の長手方向の開口の内側に収納することができる。
【００２９】
カートリッジ構造体３０のパッケージ３１は略方形体であり、ビデオゲーム機のカートリッジ挿入口１０１に装着した際に、カートリッジ挿入口１０１の縁に当接しそれ以上挿入できないように頭部３３の両側が左右側に多少幅広され形状となっている。これによりこの幅広部３３ａ、３３ｂがカートリッジ挿入口１０１の縁に当接することで、これ以上、カートリッジ挿入口１０１の内部にカートリッジ構造体３０が挿入されることが阻止される。
カートリッジ構造体３０のパッケージは実際のソフトウエアカートリッジをビデオゲーム機１００のカートリッジ挿入口１０１に挿入する際に、ビデオゲーム機のカートリッジ挿入口１０１の縦幅、横幅にほぼ合致して挿入される。そしてカートリッジ構造体のパッケージの３１の高さ、つまり、カートリッジ挿入口１０１に差し込まれる際の奥行き方向は、カートリッジ挿入口１０１の最奥にある図示しないコネクタに到達しない奥行きとしてあり、これにより実際のソフトウェアを内蔵したＩＣチップを搭載したソフトウエアカートリッジでは、コネクタに接続するための端子部が必要であるのだが、このカートリッジ構造体３０は、コネクタに到達する必要はない。
【００３０】
これによりカートリッジ構造体３０のパッケージは３１比較的に長手方向が強調された形状になっており、ペンとして使用する際に、直方形体のペンとして利用できる。
このカートリッジ構造体３０のパッケージ３１は、ビデオゲーム機のカートリッジ挿入口１０１の縦幅、横幅の寸法にほぼ合わせてあるので、カートリッジ構造体３０をカートリッジ挿入口１０１に挿入した際には、カートリッジ挿入口１０１の四方の壁面にパッケージ３１が内接して挿入され当接するので容易には外れることはないのである。
【００３１】
ビデオゲーム機１００からカートリッジ構造体３０を取り外す際にはパッケージの頭部３３を手にして引き出すことで、取り外すことができる。
これにより、ビデオゲーム機１００を使用しないときは、ビデオゲーム機のカートリッジ挿入口１０１にカートリッジ構造体のパッケージ３１を装着することで、カートリッジ挿入口１０１内にホコリ等が入り込むことを防ぐことができ、実際のソフトウェアを内蔵したカートリッジをコネクタに装着する際にホコリがコネクタに入り込むことで接触不良になることを防止でき、カートリッジ挿入口の蓋としても機能する。
【実施例３】
【００３２】
次に本発明の実施例３について説明する。図５にはカートリッジ構造体に清掃布が出し入れ可能に収納された斜視図を示す。図６は同清掃布体の使用状態を示す斜視図を示す。
これはカートリッジ構造体５０のパッケージ５１の奥行き方向に設けた開口部５２からパッケージ５１内に内設された清掃用布体５０を摺動させて開口部５２から突出させてスライド状態を保持し、ビデオゲーム機１００の液晶パネル１０２やコンポーネント１０３の汚れを拭き取るのである。
【００３３】
カートリッジ構造体５０のパッケージ５１は実際のソフトウエアカートリッジをビデオゲーム機のカートリッジ挿入口１０１に挿入する際に、ビデオゲーム機のカートリッジ挿入口１０１の縦幅、横幅にほぼ合致して挿入される。
そしてカートリッジ構造体のパッケージ４１の高さ、つまり、カートリッジ挿入口に差し込まれる際の奥行き方向は、カートリッジ挿入口１０１の奥にある図示しないコネクタに到達しない奥行きであり、この点は実施例２と寸法は同じである。
【００３４】
カートリッジ構造体５０のパッケージ５１は略方形体であり、ビデオゲーム機のカートリッジ挿入口１０１に装着した際に、カートリッジ挿入口の縁に当接しそれ以上挿入できないように頭部５３の側部が左右側に多少幅広され形状となっている。これによりこの幅広部５３ａ，５３ｂがカートリッジ挿入口１０１の縁に当接することで、これ以上、カートリッジ挿入口１０１の内部に挿入されることが阻止される。
【００３５】
パッケージ５１内には矩形の清掃用布体６０がケース６１に収納されており、表側のパッケージ表面の頭部から開口部側に向けて長穴５４を有しており、パッケージ表面にはスライド片５５を有しており、該スライド片５５は清掃用布体６０のケース６１に連接され、スライド片55をスライドさせることにより、清掃用布体６０をパッケージの開口部５２からパッケージ５１の外部の所定位置に露出させることができる。なお、この際にパッケージ内部の壁面に凹凸を設けておき、ケース６１をパッケージ５１の内壁に係止する構造としておくことで、清掃用布体６０の露出状態を保持できる。収納する場合も同様に収納位置で凹凸を設けておくことで、収納状態を保持するこができる。スライド片５５は指先で操作できるようにパッケージ表面に露出しており、使用しない場合にはスライド片５５はカートリッジ構造体のパッケージの頭部５３に位置することで、ビデオゲーム機のカートリッジ挿入口１０１に挿入し保持する際に邪魔になることがない。
【００３６】
このカートリッジ構造体のパッケージ５１は、ビデオゲーム機のカートリッジ挿入口１０１の縦幅、横幅の寸法にほぼ合わせてあるので、カートリッジ挿入口１０１に挿入した際には、カートリッジ挿入口１０１の四方の壁面にパッケージ５１が内接して挿入され、容易には外れることはないのである。
【００３７】
実施例1乃至３を基に説明したとおり、本発明は、常時使用しないROMカセットやＲＡＭメモリユニットあるいは通信アダプタにおいてもそのコネクタを電子装置本体のコンポーネント内に設け、使用する際に電子装置のコンポーネントの開口あるいは蓋を取り除いて装着するように構成されているビデオゲーム機や携帯電話等の電子機器において、電子機器本体のコンポーネント側の一部をデザイン的に刳り抜き、将来の増設装置の形状に合せて凹ませておくことで、増設装置を取り付けても、増設部分がデザイン的にコンポーネントに埋設されるあるいは、半埋設状態になるようにして設計しておくことで、増設装置が必要でない場合には、その刳り貫いた形状に嵌合するパッケージに別の小型記憶媒体や、付属品、メンテナンス品を収納することで、それら記憶媒体や付属品等の保存や、使用の際にはそのパッケージを電子機器本端から取り外して使用することができ便利である。
【００３８】
以上、本発明の好適な実施の形態により本発明を説明した。ここでは図示の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００３９】
【図１】カートリッジ構造体の実施例の斜視図である。
【図２】カートリッジ構造体をビデオゲーム機のカートリッジ挿入口に装着する斜視図である。
【図３】タッチペン部を内蔵したカートリッジ構造体の実施例の斜視図である
【図４】タッチペン部の使用状態説明図である。
【図５】清掃布体を内蔵したカートリッジ構造体の実施例の斜視図である。
【図６】清掃布体の使用状態説明図である。
【符号の説明】
【００４０】
１０   カートリッジ構造体
１１  コンポーネント
１２  コンポーネント
１３  頭部
２０  小型記憶メディア
３０  カートリッジ構造体
３１  パッケージ
４０  摺動体
４１  握り部
４２  タッチペン部部
５０  カートリッジ構造体
５５  スライド片
６０  清掃用布体
６１  ケース
１００  ビデオゲーム機
１０１  カートリッジ挿入口
１０２  タッチパネル
【図１】
2007007294.tif 000003
【図２】
2007007294.tif 000004
【図３】
2007007294.tif 000005
【図４】
2007007294.tif 000006
【図５】
2007007294.tif 000007
【図６】
2007007294.tif 000008